(57)【要約】【課題】チューブ容器内部に充鎮された内容物を消費者が使用量を調節して使用でき、チューブ容器内部に外部空気の流入を遮断して内容物の物性の変化又は変質を事前に防止する容器を提供する。【解決手段】内部に内容物が充鎮され柔軟な材質で形成されたチューブ、チューブの上端部に突出形成される排出口を有するネック部、ネック部上端部に水密に結合し、チューブの内容物が外部に排出される排出口を有するインナーキャップ、ネック部の外側面にねじ結合してチューブ内部に異質物の流入を防止するキャップを含み、インナーキャップの内側面に一定間隔で突出形成され、その間には空間が設けられるリーブ；及び前記リーブに挿入固定される挿入部と、挿入部から外向けに延長されてその端部がネック部の内側底面に接してネック部の排出口を覆う一方、チューブの排出圧力によって上に反りながらネック部の排出口を開放させる翼部を有するチェッカー；を含む、容器。【選択図】図１
2014504577.tif 000002
【特許請求の範囲】
【請求項１】
内部に内容物が充鎮され、柔軟な材質で形成されたチューブと、
前記チューブの上端部に突出形成され、チューブの内容物が排出される排出口を有するネック部と、
前記ネック部上端部に水密に結合し、チューブの内容物が外部に排出される排出口を有するインナーキャップと、
前記ネック部の外側面にねじ結合してチューブ内部に異質物の流入を防止するキャップを含むチューブ容器において、
前記インナーキャップの内側面に一定の間隔で突出形成され、その間には空間が設けられるリーブ；
及び前記リーブに挿入固定される挿入部と、前記挿入部から外向けに延長されてその端部がネック部の内側底面に接してネック部の排出口を覆う一方、チューブの排出圧力によって上に反りながらネック部の排出口を開放させる翼部を有するチェッカー；
を含む、チューブ排出口内空気逆流防止機能を備えた容器。
【請求項２】
前記チェッカーとネック部の排出口との間には離隔された空間部が形成される、請求項１に記載のチューブ排出口内空気逆流防止機能を備えた容器。
【請求項３】
前記インナーキャップのネック部の結合部位にはＯリングが設置され、
前記キャップの内側にはインナーキャップの排出口を塞いで閉じるパッドが設置される、請求項１に記載のチューブ排出口内空気逆流防止機能を備えた容器。
【請求項４】
前記インナーキャップの外側面には突出した係止段が形成されて、
前記ネック部の内側面にはインナーキャップの係止段が挿入されて係止される係止溝が形成される、請求項１に記載のチューブ排出口内空気逆流防止機能を備えた容器。
【発明の詳細な説明】
【技術分野】
【０００１】
本発明は、チューブ排出口内空気逆流防止機能を備えた容器に関し、より詳細には外部空気がチューブ内に流入されるのを防止して、内容物の物性変化を防止できるチューブ排出口内空気逆流防止機能を備えた容器に関するものである。
【背景技術】
【０００２】
一般に、チューブ容器は、化粧品容器、歯磨き粉、製薬(医薬品)容器、食料品容器など種々の製品に適用されて用いられ、容器内部には、粘度があるか、または粘度がない液体状態の内容物が充鎮されて用いられる。
【０００３】
このようなチューブ容器の構造を簡単に説明すると、内部に液状の内容物が充鎮されたチューブと、前記チューブの上端に形成され、本体内部に充鎮された内容物が排出される排出口を有するネック部と、前記ネック部の上端に水密に結合し、チューブに充鎮された内容物が外部に排出されるように排出口を有するインナーキャップと、前記ネック部の外側面にねじ結合されて異質物がチューブ内部に流入するのを防止するキャップとを含む。
【０００４】
このように構成された従来のチューブ容器を利用して必要な時にチューブ容器に充鎮された内容物を必要な分だけ取り出して用いられるが、従来のチューブ容器には、使用後に本体内部に空気が流入するのを防止する別の装置が設けられていない。
【０００５】
従って、チューブ内部に流入した外部空気によってチューブ内部に充鎮された内容物の物性が変化して、使用寿命が短縮される短所があった。
【０００６】
また、チューブのネック部とインナーキャップを組み立てた後に長期間使ってインナーキャップがネック部から分離したり、またはシーリング力が低下して内部に充鎮された内容物が外部に漏れたりするなどの諸問題が生じた。
【発明の概要】
【発明が解決しようとする課題】
【０００７】
本発明は、前述した従来技術の問題を解決するために案出されたもので、本発明の第１の目的は、チューブ容器内部に充鎮された内容物を消費者が使用量を調節して使用できる一方、チューブ容器内部に外部空気の流入を遮断して、内容物の物性が変化または変質するのを事前に防止できるチューブ排出口内空気逆流防止機能を備えた容器を提供することである。
【０００８】
本発明の第２の目的は、チューブのネック部とインナーキャップとの間にＯリングを設置する一方、チェッカーによって気密及び水密性が極大化されることによってチューブ容器内部に充鎮された内容物が外部に漏れることを防止できるチューブ排出口内空気逆流防止機能を備えた容器を提供することである。
【課題を解決するための手段】
【０００９】
前記目的は、内部に内容物が充鎮され、柔軟な材質で形成されたチューブと、前記チューブの上端部に突出形成され、チューブの内容物が排出される排出口を有するネック部と、前記ネック部の上端部に水密に結合し、チューブの内容物が外部に排出される排出口を有するインナーキャップと、前記ネック部の外側面にねじ結合してチューブ内部に異質物の流入を防止するキャップとを含むチューブ容器において、前記インナーキャップの内側面に一定間隔で突出形成され、その間には空間が設けられるリーブ；及び前記リーブに挿入固定される挿入部と、前記挿入部から外向けに延びてその端部がネック部の内側底面と接してネック部の排出口を覆う一方、チューブの排出圧力によって上向けに反りながらネック部の排出口を開放させる翼部を有するチェッカー；を含むことを特徴とするチューブ排出口内空気逆流防止機能を備えた容器によって達成される。
【００１０】
尚、前記チェッカーとネック部の排出口との間には、離隔された空間部が形成されることが好ましい。
【００１１】
また、前記インナーキャップとネック部の結合部位には、Ｏリングが設置され、前記キャップ内側にはインナーキャップの排出口を塞いで閉じるパッドが設置され、前記インナーキャップの外側面には突出した係止段が形成され、前記ネック部の内側面にはインナーキャップの係止段が挿入されて係止される係止溝が形成されることが好ましい。
【発明の効果】
【００１２】
本発明のチューブ排出口内空気逆流防止機能を備えた容器によると、チューブ容器の使用時は使用者が直接チューブを押すことによってチェッカーの翼部がチューブから開かれて、チューブ内部に充鎮された内容物が外部に排出され、チューブ容器の非使用時にはチェッカーの翼部がチューブに常に閉じられているチェック機能を有することによって、チューブの内容物を使用者が調節して使用でき、チェッカーによるチューブ内部に外部空気の流入が遮断されて、内容物の物性変化または変質を事前に防止できる効果がある。
【００１３】
尚、前記のようなチェッカーの作動と共にチューブのネック部とインナーキャップとの間にＯリングが設置されているため、チューブ容器の気密性及び水密性が極大化されて、チューブ容器内部に充鎮された内容物が外部に漏れることを事前に防止できる効果がある。
【図面の簡単な説明】
【００１４】
【図１】本発明に係る分離断面図である。
【図２】本発明に係る結合断面図である。
【図３】本発明に係るインナーキャップとチェッカーを示した結合図である。
【図４ａ】本発明に係る平常時状態図である。
【図４ｂ】本発明に係る使用時状態図である。
【発明を実施するための形態】
【００１５】
以下、本発明の好ましい実施形態について添付図面を参照して詳細に説明する。
【００１６】
図１乃至図４は、本発明に係るチューブ排出口内空気逆流防止機能を備えた容器を図示した図面である。
【００１７】
本発明のチューブ容器１は、図１及び図２に示したように、チューブ１０と、ネック部１１と、インナーキャップ２０と、キャップ４０と、チェッカー(ｃｈｅｃｋｅｒ)３０等を含む。
【００１８】
前記チューブ１０は、柔軟な材質で形成された通常のチューブ管であり、その内部には内容物、即ち粘度があるか、または粘度がない液体状態の内容物が充鎮される。そして、前記チューブ１０の上端部にはネック部１１が突出形成される。
【００１９】
前記ネック部１１は、その上端部が開口された形態を取り、その内側面には後述されるインナーキャップ２０の係止段２４と係止溝１１ａが形成され、その内側底面にはチューブ１０の内容物が排出される排出口１２が形成される。
【００２０】
前記インナーキャップ２０は、その外側面中央部に外向けに突出した鍔２１が形成され、前記鍔２１の下側部は、チューブ１０のネック部１１に挿入されて結合し、前記鍔２１の上側部は、ネック部１１の外側に突出する。一方、前記チューブ１０のネック部１１に結合するインナーキャップ２０の下側部の外側面にはネック部１１の係止溝１１ａに挿入されて係止される係止段２４が形成されることによってインナーキャップ２０をネック部１１に堅固に結合できる。また、前記係止段２４の上部にはＯリング２５が設置されて、インナーキャップ２０とネック部１１との間に介在することによってチューブ１０のシーリング、即ち密閉効果を向上させる一方、内容物の漏れを防止できる。そして、前記のように形成されたインナーキャップ２０の内側面には一定間隔で突出した多数のリーブ２３が形成され、各リーブ２３の間には空間が設けられ、この空間はインナーキャップ２０の上端部に形成された排出口２２と連通される。従って、チューブ容器１の使用(押す)時チューブ１０内部の内容物が各リーブ２３の間の空間と排出口２２を通してインナーキャップ２０から排出される。
【００２１】
前記キャップ４０は、チューブ１０に対応した外径を有する一方、チューブ１０のネック部１１にねじ結合して、その内側対面にはインナーキャップ２０の排出口２２を閉じるパッド４１が設置される。ここで、前記パッド４１は、密閉効果を極大化するためにゴムのような柔軟材質で形成されるのが好ましい。
【００２２】
即ち、チューブ容器が使用者の使用意図と関係なく押された場合、パッド４１が排出口２２に密着状態を維持して遮断するため、チェッカー３０が押し圧力によって開放されても内容物が外部に排出されるのを防止できる。
【００２３】
前記チェッカー３０は、図３に示したように、インナーキャップ２０の内側面に形成された多数のリーブ２３からなる中央部に挿入固定される挿入部３１と、前記挿入部３１から外向に延長され拡張される一方、リーブ２３に係止される拡張部３２と、前記拡張部３２から外向けに延長されてその端部がネック部１１の底面と接してネック部１１の排出口１２を覆う翼部３３を含む。
【００２４】
この時、前記翼部３３は中央部から端部に行くほどその厚さが徐々に薄くなるように形成されて、チューブ１０の排出圧力によって翼部３３が上に簡単に反ることができ、このような翼部３３の反りによってネック部１１の排出口１２が開放されるため、チューブ１０内部の内容物が外部に容易に排出される。また、チューブ１０の排出圧力が除去されると上に反る翼部３３は、速かに元の状態に復元されて、ネック部１１の排出口１２を閉鎖させることになる。
【００２５】
一方、前記チェッカー３０とネック部１１の排出口１２との間にはチューブ１０の排出圧力が翼部３３に容易に作用できるようにした空間部３４が形成される。このように形成された空間部３４は、拡張部３２の下面と翼部３３によってドーム状に形成されて、チューブ１０の排出圧力を翼部３３側に容易に分散できるようになる。従って、前記翼部３３は、チューブ１０の排出圧力により速かに反応しながら排出口１２開放（開く）または本状態に復元されながら閉鎖作動する。
【００２６】
以上のように構成された本発明に係るチューブ排出口内空気逆流防止機能を備えた容器の作動関係を説明する。
【００２７】
先に、チューブ容器１の非使用時には図４ａのように、チェッカー３０の翼部３３端部がネック部１１の内側底面と接してネック部１１の排出口１２を覆うことによって、ネック部１１の排出口１２が閉鎖されて、チューブ１０の内容物は排出されない。
【００２８】
以後、チューブ容器１の使用時は図４ｂのように、チューブ１０を押すと、押す圧力によってチューブ１０の内部圧力が上昇し(押す圧力だけ)、チューブ１０の内容物は圧力によってネック部１１の排出口１２を通してチェッカー３０とネック部１１との間の空間部３４に排出される。このように排出された内容物は、徐々に上昇される排出圧力によってチェッカー３０の翼部３３を上に押し上げて反すことによって流路を確保することとなる。
【００２９】
従って、このように確保された流路(図４ｂに矢印で図示)を通してチューブ１０の内容物は、ネック部１１に排出され、ネック部１１に排出された内容物は、またインナーキャップ２０内側のリーブ２３の間を通ってインナーキャップ２０の排出口２２を通して外部に排出される。
【００３０】
以後、チューブ１０を押した加圧力を除去すると、押されていたチューブ１０と上に反っていたチェッカー３０の翼部３３が速かに元の状態に復元されて、ネック部１１の内側底面と接することによって、ネック部１１の排出口１２を閉鎖させて、内容物の排出を防止する一方、空気の逆流を完全に遮断して、内容物の物性変化または変質を防止できる。
【００３１】
また、前記のようなチェッカー３０の作動と共に、インナーキャップ２０とチューブ１０のネック部１１との間に介在して設置されるＯリング２５によって、チューブ容器１の気密及び水密性が向上して、内容物の漏れを確実に防止できる。
【符号の説明】
【００３２】
１        チューブ容器
１０      チューブ
１１      ネック部
１１ａ    コルリモム
１２      排出口
２０      インナーキャップ
２１      鍔
２２      排出口
２３      リーブ
２４      係止段
２５      Ｏリング
３０      チェッカー
３１      挿入部
３２      拡張部
３３      翼部
３４      空間部
４０      キャップ
４１      パッド
【図１】
2014504577.tif 000003
【図２】
2014504577.tif 000004
【図３】
2014504577.tif 000005
【図４ａ】
2014504577.tif 000006
【図４ｂ】
2014504577.tif 000007
【国際調査報告】
2014504577.tif 000008
2014504577.tif 000009
2014504577.tif 000010
2014504577.tif 000011